(57)【特許請求の範囲】
【請求項１】
パイプを介して長さ方向に連結された足場板間の隙間を覆うための合成樹脂からなる足場板隙間カバーであって、少なくとも前記パイプを挟んで対向する２枚の足場板間の隙間よりも２〜３倍大きい長さを有する板状部と、該板状部の裏面に設けられ前記パイプに対して着脱可能に固定される固定部とからなり、
該固定部は、該パイプの外周面を挟持する左右一対の断面円弧状部材と、該円弧状部材の下端部に設けられた外方に向けて僅かに拡がった拡開部からなり、
前記板状部は、該板状部の表面に複数の滑り止め用突部及び、該板状部を上下に貫通する貫通穴が形成されるとともに、前記板状部の断面が上向きに湾曲するアーチ型形状とされてなり、
該板状部の裏面に縦横に交差する補強用リブが設けられ、
該板状部の長さ方向両端部に、他の足場板隙間カバーを連結するための連結部が設けられてなり、
該連結部は、前記板状部の幅方向の一端においてその端面との間に空間を形成するように設けられる係止枠と、該板状部の幅方向の他端部において該係止枠に対して挿入可能に下向きに突出された係止片からなることを特徴とする足場板隙間カバー。
【発明の詳細な説明】
【０００１】
【発明の属する技術分野】
本発明は足場板隙間カバーに関し、より詳しくは建設現場等における足場板間の隙間をカバーして安全性を確保することができる足場板隙間カバーに関するものである。
【０００２】
【従来の技術】
従来、建設現場等における足場は、図１０に示すように、足場用建枠（Ａ）を所定間隔で立設して、この足場用建枠（Ａ）の所定高さ毎に水平にパイプ（Ｐ）を架設し、このパイプ（Ｐ）を介して所要枚数の足場板（Ｂ）を長さ方向に連結させることにより構成されている。
【０００３】
【発明が解決しようとする課題】
ところが、このような構成からなる従来の足場は、図１１の平面図に示す如く、足場板（Ｂ）とパイプ（Ｐ）との間に比較的広い幅の隙間（Ｃ）が形成されるため、作業者が足場の上を歩行する際に、この隙間（Ｃ）に足をとられてつまずいたり転んだりするおそれがあり、特に高所での作業時においては非常に危険であった。
また、形成された隙間（Ｃ）から工具等が落下して、下にいる人に怪我を負わせる危険性もあった。本発明はかかる実情に鑑みてなされたものであって、建設現場等における足場を構成する足場板同士の隙間を完全に覆うことが可能で作業上の安全性を確保することができるとともに、取り付け作業が容易であって外れにくく、しかも様々な広さの足場に対応することが可能な足場板隙間カバーを提供せんとするものである。
【０００４】
【課題を解決するための手段】
請求項１に係る発明は、パイプを介して長さ方向に連結された足場板間の隙間を覆うための合成樹脂からなる足場板隙間カバーであって、少なくとも前記パイプを挟んで対向する２枚の足場板間の隙間よりも２〜３倍大きい長さを有する板状部と、該板状部の裏面に設けられ前記パイプに対して着脱可能に固定される固定部とからなり、該固定部は、該パイプの外周面を挟持する左右一対の断面円弧状部材と、該円弧状部材の下端部に設けられた外方に向けて僅かに拡がった拡開部からなり、前記板状部は、該板状部の表面に複数の滑り止め用突部及び、該板状部を上下に貫通する貫通穴が形成されるとともに、前記板状部の断面が上向きに湾曲するアーチ型形状とされてなり、該板状部の裏面に縦横に交差する補強用リブが設けられ、該板状部の長さ方向両端部に、他の足場板隙間カバーを連結するための連結部が設けられてなり、該連結部は、前記板状部の幅方向の一端においてその端面との間に空間を形成するように設けられる係止枠と、該板状部の幅方向の他端部において該係止枠に対して挿入可能に下向きに突出された係止片からなることを特徴とする足場板隙間カバーに関する。
【０００６】
【発明の実施の形態】
以下、本発明に係る足場板隙間カバーの好適な実施形態について図面に基づき説明する。
図１乃至図５は、それぞれ本発明に係る足場板隙間カバーの平面図、裏面図、右側面図、左側面図、正面図である。
本発明に係る足場板隙間カバー（１）は、パイプを介して長さ方向に連結された足場板間の隙間を覆うための足場板隙間カバーであって、少なくともパイプを挟んで対向する２枚の足場板間の隙間よりも大きい長さ（好ましくは２〜３倍）を有する板状部（２）と、該板状部（２）の裏面に設けられ前記パイプに対して着脱可能に固定される固定部（３）とから構成される。
【０００７】
板状部（２）は、その表面全体に一定のパターンで配列された複数の滑り止め用突部（４）を有している。この滑り止め用突部（４）の形状は、図示例では３箇所が切り欠かれた平面視円環状とされているが、必ずしもこれに限定されるものではなく、例えば平面視直線状の突部を一定間隔で平行に配列したものや格子状に配列したもの等であってもよい。
この滑り止め用突部（４）の板状部（２）表面からの突出高さは１〜２ｍｍ程度とすることが好ましい。これは、滑り止め用突部（４）の高さが高すぎると足場板隙間カバー（１）の上を歩く作業者が滑り止め用突部（４）につまずく危険性が生じ、逆に低すぎると滑り止めの効果が殆ど発揮されなくなり、いずれも場合も好ましくないからである。
【０００８】
また、板状部（２）には表面から裏面に向けて貫通する複数の貫通穴（５）が形成されている。
この貫通穴（５）は、下から吹き上げる風を貫通させて上へと逃がすことで、取り付けられた足場板隙間カバー（１）が風圧によって外れるのを防止する役割を果たす。
貫通穴（５）の数や大きさは特に限定されないが、板状部（２）全体に占める貫通穴の面積が大きすぎると強度が低下して破損し易くなり、逆に貫通穴の面積が小さすぎると下から吹き上げる風を充分に逃がすことができなくなるため、これらのことを考慮して貫通穴（５）を形成する必要がある。
具体的には、板状部（２）全体に占める貫通穴の合計面積の割合は１〜５％程度とすることが好ましく、例えば板状部（２）が一辺２５ｃｍ程度の略正方形状（平面視形状）である場合には、直径１０ｍｍ程度の穴を１０〜１５箇所程度に設ける構成とすればよい。
【０００９】
板状部（２）はその断面形状が図３及び図４に示す如く上向きに緩やかな円弧をえがいて湾曲するアーチ型形状とされており、その裏面には図２に示す如く縦横に交差する補強用リブ（６）が形成されている。
このような構成とすることにより、板状部（２）は上からの荷重に対する強度に優れたものとなり、作業者が上を歩いた際に加わる荷重による破損が起こりにくくなる。
【００１０】
固定部（３）は、パイプの外周面を挟持する左右一対の断面円弧状部材からなり、これら断面円弧状部材の下端部には外方に向けて僅かに拡がった拡開部（３１）が形成されている。
図６は足場板隙間カバー（１）を足場に取り付けた状態を示す図である。図示した如く、足場板隙間カバー（１）を足場に取り付ける際には、固定部（３）の断面円弧状部材でパイプ（Ｐ）の外周面を左右から挟持させればよく、これによって足場板隙間カバー（１）をパイプ（Ｐ）に強固に固定することができる。
この取り付けに際しては、固定部（３）をパイプ（Ｐ）の上から押しつけることによって断面円弧状部材を撓ませて拡開部（３１）をパイプ（Ｐ）に沿わせて拡げながら押し込めばよく、取り外す際には板状部（２）を上方に引っ張ることによって断面円弧状部材を撓ませて拡開部（３１）をパイプ（Ｐ）に沿わせて拡げながら引き抜けばよい。
足場板隙間カバー（１）がパイプ（Ｐ）に固定された状態では、図示の如くパイプ（Ｐ）を介して対向する２枚の足場板（Ｂ）間の隙間（Ｃ）が足場板隙間カバー（１）によって完全に覆われるようになる。尚、図６においては図を分かりやすくするために、足場板（Ｂ）とパイプ（Ｐ）とを連結するフックの図示は省略している。
【００１１】
また、本発明に係る足場隙間カバー（１）では、板状部（２）の断面形状が上向きに湾曲するアーチ型形状とされているため、足場板隙間カバー（１）がパイプ（Ｐ）に固定された状態にて、図７に示す如く足場板（Ｂ）とパイプ（Ｐ）とを連結するフック（Ｆ）を足場隙間カバー（１）の下部に完全に収容することができる。フック（Ｆ）の形状は足場板（Ｂ）の製造メーカーにより多少異なるが、本発明に係る足場隙間カバー（１）ではアーチ型形状によってパイプ（Ｐ）の上方にある程度の空間が形成されるため、フック（Ｆ）を完全に覆った状態で足場隙間カバー（１）をパイプ（Ｐ）に固定することができる。
【００１２】
板状部（２）の幅方向両端部には、他の足場板用隙間カバーを連結するための連結部（７）が設けられている。尚、本明細書において、板状部（２）の幅方向とは足場板隙間カバー（１）をパイプ（Ｐ）に取り付けた状態においてパイプと平行となる方向を指し、板状部（２）の長さ方向とは足場板隙間カバー（１）をパイプ（Ｐ）に取り付けた状態においてパイプと直交する方向を指す。
連結部（７）は、板状部（２）の幅方向の一端部においてその端面との間に長方形状の空間を形成するように設けられた係止枠（７１）と、板状部（２）の幅方向の他端部において該係止枠（７１）に対して挿入可能に下向きに突出された直方体板状の係止片（７２）とから構成されている。
これら係止枠（７１）及び係止片（７２）は、図示例では対向する位置にそれぞれ２つずつ設けられているが、３つずつ以上設けることも可能である。
【００１３】
本発明に係る足場板隙間カバーでは、図８に示す如く一の足場板隙間カバー（１ａ）の係止片（７２ａ）を他の足場板隙間カバー（１ｂ）の係止枠（７１ｂ）の空間に上方から挿入することによって、図９に示すように隣り合う足場板隙間カバー（１ａ），（１ｂ）を隙間無く連結することが可能となる。従って、足場板の幅が広い場合であっても足場板隙間カバーを複数個連結することによってパイプ方向（足場板の幅方向）に発生する隙間をカバーすることができる。
また、板状部（２）の幅方向長さの規格値を既存の足場板の幅寸法と比例するように設定しておくことにより、パイプ方向（足場板の幅方向）に発生する隙間を端から端まで完全にカバーすることが可能となる。また、係止枠（７１）に対して係止片（７２）を上から下へと挿入することによって足場板隙間カバー同士を連結するように構成しているため、上方から力が加わるとその力によってより連結が強固となり、作業者が上を歩いた際に発生する力によって連結が外れたりズレが発生したりすることがない。
【００１４】
上記構成からなる足場板隙間カバー（１）は、合成樹脂の一体成形品から形成することが好ましい。これは、全体を合成樹脂製とすることで足場板隙間カバーは軽量で取扱いに優れたものとなり、しかも錆の発生を防いで長期間にわたって強度を保つことが可能となるからである。また、合成樹脂は適度な可撓性を有するために固定部（３）に適度な弾性力をもたせることが可能となる。
合成樹脂の種類としては、ポリプロピレン、ポリエチレン、ＡＢＳ樹脂、塩化ビニル樹脂等を好適な例として挙げることができるが、特にこれらに限定されるものではない。
【００１５】
【発明の効果】
以上説明したように、請求項１に係る発明はパイプを介して長さ方向に連結された足場板間の隙間を覆うための合成樹脂からなる足場板隙間カバーであって、少なくとも前記パイプを挟んで対向する２枚の足場板間の隙間よりも２〜３倍大きい長さを有する板状部と、該板状部の裏面に設けられ前記パイプに対して着脱可能に固定される固定部とからなり、該固定部は、該パイプの外周面を挟持する左右一対の断面円弧状部材と、該円弧状部材の下端部に設けられた外方に向けて僅かに拡がった拡開部からなり、前記板状部は、該板状部の表面に複数の滑り止め用突部及び、該板状部を上下に貫通する貫通穴が形成されるとともに、前記板状部の断面が上向きに湾曲するアーチ型形状とされてなり、該板状部の裏面に縦横に交差する補強用リブが設けられ、該板状部の幅方向両端部に、他の足場板隙間カバーを連結するための連結部が設けられてなり、該連結部は、前記板状部の長さ方向の一端においてその端面との間に空間を形成するように設けられる係止枠と、該板状部の幅方向の他端部において該係止枠に対して挿入可能に下向きに突出された係止片からなることを特徴とする足場板隙間カバーであるから、建設現場等における足場を構成する足場板同士の隙間を完全に覆うことが可能で作業上の安全性を確保することができるという効果を奏する。
更に、カバー上を歩く作業者の足が滑ることが防止され、安全性に優れたものとなり、下から吹き上げる風を貫通させて上へと逃がすことができ、取り付けられた足場板隙間カバーが風圧によって外れるのを防止することができ、パイプへの着脱を容易に行うことが可能であるとともに、足場の幅が広い場合でも複数のカバーを連結して隙間を覆うことが可能である。又、上方から加わる力によってより連結が強固となり、作業者が上を歩いた際に発生する力によって連結が外れたり、ズレが発生したりすることがなく、軽量で取扱い性に優れ、しかも錆の発生を防いで長期間にわたって強度を保つことができる。又、上から加わる力に対する強度に優れたものとなり、歩行の際に加わる荷重によって破損しにくくなる。また、アーチ型形状によってパイプの上方にある程度の空間が形成されるため、フックを完全に覆った状態で足場板隙間カバーをパイプに固定することができる。
【図面の簡単な説明】
【図１】  本発明に係る足場板隙間カバーの平面図である。
【図２】  本発明に係る足場板隙間カバーの裏面図である。
【図３】  本発明に係る足場板隙間カバーの右側面図である。
【図４】  本発明に係る足場板隙間カバーの左側面図である。
【図５】  本発明に係る足場板隙間カバーの正面図である。
【図６】  本発明に係る足場板隙間カバーを足場を構成するパイプに固定した状態を示す概略図である。
【図７】  本発明に係る足場板隙間カバーを足場を構成するパイプに固定した状態を示す概略図である。
【図８】  本発明に係る足場板隙間カバーの連結方法を示す説明図である。
【図９】  本発明に係る足場板隙間カバーを連結した状態を示す平面図である。
【図１０】  従来の建設現場等における足場構造を示す斜視図である。
【図１１】  従来の建設現場等における足場板の接続構造を示す平面図である。
【符号の説明】
１    足場板隙間カバー
２    板状部
３    固定部
４    滑り止め用突部
５    貫通穴
７    連結部
７１  係止枠
７２  係止片
Ｐ    パイプ
Ｃ    隙間
【図１】
0003652954.tif 000002
【図２】
0003652954.tif 000003
【図３】
0003652954.tif 000004
【図４】
0003652954.tif 000005
【図５】
0003652954.tif 000006
【図６】
0003652954.tif 000007
【図７】
0003652954.tif 000008
【図８】
0003652954.tif 000009
【図９】
0003652954.tif 000010
【図１０】
0003652954.tif 000011
【図１１】
0003652954.tif 000012